(57)【要約】【課題】従来、洗濯機周辺で棚といえば洗濯機の上部空間に棚を組むものが多い。この場合、洗濯作業の邪魔になる。また、別置きの乾燥機があると棚設置は困難である。また、棚の設置作業も容易ではない。洗濯機の上に直接物を置くことも考えられるが、上面が傾斜した洗濯機の場合、置いたものが滑り落ちる。また、洗濯槽のカビ発生防止の為、使用しないときは蓋を開けている事が好ましい。その場合も上に物を置くのは難しくなる。【解決手段】高さ調整ができる脚を持つ台により、洗濯機上面が傾斜していても必要な場合に洗濯機上に置くだけで棚を作ることができる。また、棚として使用する面の一部に穴または切り欠きを設ける事で棚を置いたまま洗濯物を投入可能にする。幅方向の脚の間隔が調整可能、または脚を幅広にする事で蓋を開けた状態でも棚を設置できる。【選択図】  図１
2006247084.tif 000002
【特許請求の範囲】
【請求項１】
洗濯機上面等の傾斜面に置くだけで床面と水平な面をつくる事を目的とし、脚の本数、脚の取り付け位置、個々の脚の高さ違いなどによって目的を達成することができる簡易的な棚。
【請求項２】
請求項１において、物置部に切り欠き、もしくは穴が形成されている棚。
【請求項３】
請求項１において、取り付けられた脚の傾斜面との接触側が洗濯機と同等の幅で同一面である棚。
【発明の詳細な説明】
【技術分野】
【０００１】
本発明は洗濯機の上に物を置く為の簡易的な棚に関するものである。
【背景技術】
【０００２】
洗濯機周辺で棚を必要とする時、洗濯機に洗濯物を投入する場合に仕分け作業を行う時や洗濯機は浴室の近くにある事が多い為、入浴の際、着替えやバスタオルを置く等があげられる。
【０００３】
従来、洗濯機周辺で棚といえば洗濯機の上部空間に棚を組むものが多い。
【特許文献１】登録実用新案第３０８６６５８号  図１
【発明の開示】
【発明が解決しようとする課題】
【０００４】
洗濯機の上部空間に棚を組む場合、洗濯作業の際に邪魔になる。また、別置きの乾燥機があると棚を組むのも困難である。その上、棚の設置作業を考えても誰でも簡単にできるというものではない。
【０００５】
洗濯機の上に直接物を置くことも考えられるが、縦型の洗濯機の場合、洗濯物を取り出しやすくする為に上面が傾斜しているものが多い。その為に、上に物が置きにくい。また、洗濯機の蓋を閉めたままにすると洗濯槽にカビが発生しやすいので、使用しないときは蓋を開けている事が好ましいがその場合も上に物を置くのは難しくなる。
【０００６】
本発明は、このような従来の問題点を解決しようとするもので、常に洗濯機の上部空間を占有するのではなく、大掛かりな設置作業も必要なく、棚が欲しい時に誰でも容易に、また、洗濯機の蓋を開けた状態でも使用できる棚を提供するものである。
【課題を解決するための手段】
【０００７】
前記課題解決の手段として、必要な場合に洗濯機の上に置くだけで棚として使用できるものであって、脚の本数、脚の取り付け位置、個々の脚の高さ違いにより傾斜した面に置いても水平な棚を作ることができるものである。また、棚として使用する面の一部に穴または切り欠き部を設ける事で棚を置いたままの洗濯物投入を可能にする。幅方向の脚の間隔が調整可能または脚を幅広にすることで蓋を開けた状態でも棚を置くことが可能となる。
【発明の効果】
【０００８】
上述したように、必要なときに置くだけで棚として使用できる為、誰でも設置が可能である。また、使わないときは取り除くことが容易にできる。その為、洗濯機の上部空間を占有することが無いので洗濯をする時邪魔にならず、無理な作業姿勢をとることも無い。
【０００９】
棚として使用する面の一部に穴または切り欠き部を設ける事で洗濯物の仕分け作業をする為に棚を置いたままの状態で洗濯物を投入することができる。
【００１０】
また、幅方向の脚の間隔が調整可能または脚を幅広にすることで蓋を開けた状態でも棚を置くことが可能となる。これにより洗濯槽のカビ防止の為、開放した状態で棚を設置できる。
【実施例】
【００１１】
以下、本発明の実施形態を図に基づいて説明する。
【００１２】
図１において、１は物を置く為の板部、２ａ・２ｂは傾斜部に置いたときに１を水平に保つ為の脚である。２ａ・２ｂには傾斜部より滑り落ちないように摩擦係数の高い材質のもの３もしくは吸盤のようなものが取り付けられている。
【００１３】
この脚は図２のように傾斜面との接触側が洗濯機と同等の幅で同一面であるもの、または、図３のような脚の形状で図の矢印方向に取り付け位置が調整できるものを用いる。脚の取り付けは１ｂのみ、または１ｂと１ｃに取り付ける場合が考えられる。
【００１４】
１は本発明品を洗濯機上に設置しても洗濯物が投入しやすいように１ａ部が切り欠かれている。
【００１５】
洗濯機上面の傾斜角度は様々である。その為、図４に示すように高さの異なる脚を持ち、そのどちらか一方を１ｂ部に取り付ける、または１ｂと１ｃに取り付けることで様々な傾斜角度に対応する。例えば、長さがそれぞれＬ１＝ＬとＬ２＝２Ｌ／３の２本の脚を用意する。そうすればＡ点とＢ点の高さの差がＬ・２Ｌ／３・Ｌ／３（＝Ｌ１−Ｌ２＝Ｌ−２Ｌ／３）のものに対応する。それぞれの脚が高さを微調整できるようになっていれば、（図ではおねじ部分が長くなっている。）上面にねじ部が大きく飛び出すこと無く幅広い傾斜に対応可能である。
【００１６】
上述した例のように傾斜の緩やかな部分に置く際、１ｂ・１ｃに脚を付けるような脚の高さ設定にする方が望ましい。図４に示すように傾斜が緩やかな場合、投入する開口部が狭くなる為、１ｂと１ｃに脚をつけた状態で、本発明品を設置した方が洗濯物を投入しやすくなる。
【図面の簡単な説明】
【００１７】
【図１】本発明品の全体図
【図２】本発明品の脚部の説明（代表例）
【図３】本発明品の脚部の別例
【図４】本発明品の傾斜角度調整例
【図５】洗濯物投入部開口部確保の組み合わせ
【図６】本発明の実施形態を示すイメージ図
【符号の説明】
【００１８】
１    棚板
１ａ  洗濯物投入部
１ｂ  前脚取り付け部
１ｃ  後脚取り付け部
２ａ  脚（高い側）
２ｂ  脚（低い側）
３    滑り止め
４    ナット
【図１】
2006247084.tif 000003
【図２】
2006247084.tif 000004
【図３】
2006247084.tif 000005
【図４】
2006247084.tif 000006
【図５】
2006247084.tif 000007
【図６】
2006247084.tif 000008
【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
（イ）、長方形の棚板１裏面の長辺に対向して脚長が異なる脚２ａ、２ｂを設ける。
（ロ）、脚２ａ、２ｂは水平軸の両端に支軸が直立し、支軸の上方はねじ部を形成し、そのねじ部は棚板１の四隅に設けられた孔にナット４で締め付けられる。そのナットの締め付け位置により脚２ａ、２ｂの高さを調節可能とする。洗濯機の傾斜角度が大きい場合、脚を前方１本にし後方は棚板１の長辺部分を脚がわりとする事で対応可能とする。
（ハ）、脚２ａ、２ｂを構成する水平軸はゴム材で被覆した滑り止め３となり、傾斜面に載置したとき滑り防止となる。また、水平軸を洗濯機の幅より広くすることにより洗濯機の蓋の開閉状態によらず設置部分が確保できる。
以上の構成よりなる洗濯機用簡易棚
【請求項２】
棚板１は前方の辺の中央部が中心に向けて湾曲状に切りかかれており、その部分を洗濯物投げ入れ部１ａとする請求項１の洗濯機用簡易棚